(57)【要約】【課題】  ＬＥＤ８に供給する駆動電流を増やさずにＬＥＤ表示パネル９を高輝度に表示させる、又は、ＬＥＤ表示パネル９の輝度を下げずにＬＥＤ８に供給する駆動電流を減らした電子機器を得る【解決手段】  外部に向けて投光する複数の発光ダイオードを平面上にｍ行ｎ列マトリクス配列したＬＥＤ表示パネルと、入力された表示データに基づいて上記ＬＥＤ表示パネルの上記発光ダイオードを行単位に順次走査するダイナミック駆動方式により表示制御する表示制御部と、上記ＬＥＤ表示パネルに画像を表示させる表示データを上記表示制御部へ出力する主制御部とを備えた電子機器において、上記表示制御部は、マトリクス配列された上記発光ダイオードのうち、少なくとも画像が表示される行を含む一部の行のみを対象として走査するようにした。【選択図】          図２
2006119212.tif 000002
【特許請求の範囲】
【請求項１】
外部に向けて投光する複数の発光ダイオードを平面上にｍ行ｎ列マトリクス配列したＬＥＤ表示パネルと、
入力された表示データに基づいて上記ＬＥＤ表示パネルの上記発光ダイオードを行単位に順次走査するダイナミック駆動方式により表示制御する表示制御部と、
上記ＬＥＤ表示パネルに画像を表示させる表示データを上記表示制御部へ出力する主制御部と
を備えた電子機器において、
上記表示制御部は、マトリクス配列された上記発光ダイオードのうち、少なくとも画像が表示される行を含む一部の行のみを対象として走査する
ことを特徴とする電子機器。
【請求項２】
主制御部が表示制御部へ出力する表示データは、画像が表示される行を含む一部の行の走査データで構成された部分表示データである
ことを特徴とする請求項１記載の電子機器。
【請求項３】
部分表示データを記憶する記憶部を備え、
主制御部は、上記記憶部の記憶する上記部分表示データを表示制御部へ出力する
ことを特徴とする請求項２記載の電子機器。
【請求項４】
記憶部は、走査行数を記憶し、
主制御部は、上記記憶部の記憶する上記走査行数を表示制御部へ出力する
ことを特徴とする請求項３記載の電子機器。
【請求項５】
主制御部は、記憶部の記憶する部分表示データから走査行数を抽出して、表示制御部へ出力する
ことを特徴とする請求項３記載の電子機器。
【請求項６】
記憶部は、走査を開始する走査開始行を記憶し、
主制御部は、上記記憶部の記憶する走査開始行を表示制御部へ出力し、
上記表示制御部は、上記走査開始行に部分表示データの１行目の走査データを対応させて順次走査する
ことを特徴とする請求項４又は５に記載の電子機器。
【請求項７】
記憶部は、画像が表示される走査行を指定する走査情報を記憶し、
主制御部は、上記記憶部の記憶する走査行を表示制御部へ出力し、
表示制御部は、部分表示データの各走査データを上記走査情報で指定した発光ダイオードの各走査行に対応させて走査する
ことを特徴とする請求項３に記載の電子機器。
【請求項８】
マトリクス配列された発光ダイオードの全部の行の走査データで構成された全表示データを記憶する記憶部を備え、
主制御部は、上記記憶部の記憶する上記全表示データから画像が表示される行の走査データを抽出して、部分表示データを生成し、表示制御部へ出力する
ことを特徴とする請求項２に記載の電子機器。
【請求項９】
記憶部は、走査行数を記憶し、
主制御部は、上記記憶部の記憶する上記走査行数を表示制御部へ出力する
ことを特徴とする請求項８記載の電子機器。
【請求項１０】
主制御部は、記憶部の記憶する全表示データ又は生成した部分表示データから走査行数を抽出して、表示制御部へ出力する
ことを特徴とする請求項８記載の電子機器。
【請求項１１】
記憶部は、走査を開始する走査開始行を記憶し、
主制御部は、上記記憶部の記憶する走査開始行を表示制御部へ出力し、
上記表示制御部は、上記走査開始行に部分表示データの１行目の走査データを対応させて順次走査する
ことを特徴とする請求項９又は１０に記載の電子機器。
【請求項１２】
主制御部は、記憶部の記憶する全表示データから走査を開始する走査開始行を抽出して、表示制御部へ出力し、
上記表示制御部は、上記走査開始行に部分表示データの１行目の走査データを対応させて順次走査する
ことを特徴とする請求項９又は１０記載の電子機器。
【請求項１３】
記憶部は、画像が表示される走査行を指定する走査情報を記憶し、
主制御部は、上記記憶部の記憶する走査情報を表示制御部へ出力し、
表示制御部は、部分表示データの各走査データを上記走査情報で指定した発光ダイオードの各走査行に対応させて走査する
ことを特徴とする請求項８に記載の電子機器。
【請求項１４】
主制御部は、記憶部の記憶する全表示データから画像が表示される走査行を抽出して走査情報を生成して、表示制御部へ出力し、
表示制御部は、部分表示データの各走査データを上記走査情報で指定した発光ダイオードの各走査行に対応させて走査する
ことを特徴とする請求項８に記載の電子機器。
【請求項１５】
マトリクス配列された発光ダイオードの全部の行の走査データで構成された全表示データを記憶する記憶部を備え、
主制御部は、走査行数と走査開始行と上記記憶部の記憶する全表示データとを表示制御部へ出力する
ことを特徴とする請求項１記載の電子機器。
【請求項１６】
記憶部は、走査行数又は走査開始行を記憶し、
主制御部は、上記記憶部の記憶する走査行数又は走査開始行を表示制御部へ出力する
ことを特徴とする請求項１５記載の電子機器。
【請求項１７】
主制御部は、上記記憶部の記憶する全表示データから走査行数又は走査開始行を抽出し、表示制御部へ出力する
ことを特徴とする請求項１５記載の電子機器。
【請求項１８】
マトリクス配列された発光ダイオードの全部の行の走査データで構成された全表示データ及び画像が表示される走査行を指定する走査情報を記憶する記憶部を備え、
主制御部は、上記記憶部の記憶する走査情報及び全表示データを表示制御部へ出力する
ことを特徴とする請求項１に記載の電子機器。
【請求項１９】
マトリクス配列された発光ダイオードの全部の行の走査データで構成された全表示データを記憶する記憶部を備え、
主制御部は、記憶部の記憶する全表示データから画像が表示される走査行を抽出して走査情報を生成し、上記記憶部の記憶する全表示データ及び上記走査情報を表示制御部へ出力する
ことを特徴とする請求項１に記載の電子機器。
【請求項２０】
主制御部は、所定の条件下において、ＬＥＤ表示パネルの発光ダイオードを点灯駆動する駆動電流を減らすよう制御する
ことを特徴とする請求項１記載の電子機器。
【請求項２１】
所定の条件は、発信中、着信中又は通信中のいずれかである
ことを特徴とする請求項２０記載の電子機器。
【発明の詳細な説明】
【技術分野】
【０００１】
この発明は、ダイナミック駆動方式により表示制御する表示部を設けた、例えば携帯電話機等の電子機器に関し、特に、表示部の駆動電流を増やすことなく表示部の点灯輝度を向上させた、又は、輝度を下げることなく表示部の駆動電流を減らした電子機器に関する。
【背景技術】
【０００２】
従来技術として、マトリクス配列されたＬＥＤ（ｌｉｇｈｔ−ｅｍｉｔｔｉｎｇ  ｄｉｏｄｅ）を点灯させて画面を表示する表示装置において、１つの画面が複数のフレームにより構成されており、ＬＥＤを点灯させるフレームの枚数を変化させ、ＬＥＤの連続駆動時間をフレーム単位で変化させることにより、１画面当たりのＬＥＤの輝度をそれぞれ変化させた、ダイナミック駆動方式による階調表示を実現した表示装置がある（例えば、特許文献１参照）。
【０００３】
【特許文献１】特開平５−２６５３９９号公報（第３〜４頁、図１）
【発明の開示】
【発明が解決しようとする課題】
【０００４】
従来技術において、全フレームでＬＥＤを点灯させ、全フレームのＬＥＤの連続駆動時間を最長にしたときよりも、ＬＥＤの点灯輝度を向上させるために、ＬＥＤに供給する駆動電流を増やすと、ＬＥＤに許容されている駆動電流の範囲を超えてしまうという問題点があった。
また、従来技術において、ＬＥＤに許容されている駆動電流を減らすために、ＬＥＤに供給する駆動電流を減らすと、ＬＥＤの点灯輝度が下がってしまうという問題点があった。
【０００５】
この発明は、上記のような問題点を解消するためになされたもので、発光ダイオード（ＬＥＤ）に供給する駆動電流を増やさずに高輝度に表示させる、又は、輝度を下げずにＬＥＤに供給する駆動電流を減らした電子機器を得ることを目的とするものである。
【課題を解決するための手段】
【０００６】
この発明の請求項１に係る電子機器は、外部に向けて投光する複数の発光ダイオードを平面上にｍ行ｎ列マトリクス配列したＬＥＤ表示パネルと、入力された表示データに基づいて上記ＬＥＤ表示パネルの上記発光ダイオードを行単位に順次走査するダイナミック駆動方式により表示制御する表示制御部と、上記ＬＥＤ表示パネルに画像を表示させる表示データを上記表示制御部へ出力する主制御部とを備えた電子機器において、上記表示制御部は、マトリクス配列された上記発光ダイオードのうち、少なくとも画像が表示される行を含む一部の行のみを対象として走査するようにしたものである。
【０００７】
また、この発明の請求項２０に係る電子機器は、請求項１における電子機器であって、主制御部は、所定の条件下において、ＬＥＤ表示パネルの発光ダイオードを点灯駆動する駆動電流を減らすよう制御したものである。
【発明の効果】
【０００８】
この発明の請求項１に係る電子機器は、マトリクス配列された発光ダイオードのうち、少なくとも画像が表示される行を含む一部の行のみを対象として走査するようにしたので、ＬＥＤ表示パネルに供給する駆動電流を増やさずに高輝度に表示することができる効果がある。
【０００９】
また、この発明の請求項２０に係る電子機器は、請求項１に係る電子機器において、所定の条件下において、ＬＥＤ表示パネルの発光ダイオードを点灯駆動する駆動電流を減らすよう制御したので、ＬＥＤ表示パネルの輝度を下げることなくＬＥＤ表示パネルに供給する駆動電流を減らすことができる効果がある。
【発明を実施するための最良の形態】
【００１０】
実施の形態１．
図１は、この発明に係る電子機器としての携帯電話機の外観斜視図であり、図１（ａ）は二つ折り型の携帯電話機を開いた状態で正面側から見た図、図１（ｂ）は背面側から見た図である。図において、操作側筐体１には複数の操作キー２を配列した操作部１６を有しており、一端側がヒンジ３により表示側筐体４の一端と連結されている。操作側筐体１の他端側にはユーザが通話に使用するマイク５が設けられている。一方、表示側筐体４の正面側には図１（ａ）に示されるように文字や画像を表示する主表示部６が設けられている。この主表示部６はＬＣＤ（ｌｉｑｕｉｄ  ｃｒｙｓｔａｌ  ｄｉｓｐｌａｙ）である。表示側筐体４の他端側には通話相手の音声を出力するレシーバ７が設けられている。また、図１（ｂ）に示すように表示側筐体４の背面側には複数のＬＥＤ８がマトリクス配列されたＬＥＤ表示パネル９が設けられている。このＬＥＤ表示パネル９は、ＬＥＤ８をｍ行×ｎ列、図の例では１７行×９列の１５３個配列している。ＬＥＤ表示パネル９は、表示側筐体４背面の略全域を占めており、比較的大きな画面に高輝度の表示をすることができる。
【００１１】
図２は、実施の形態１〜４に係る携帯電話機のブロック構成図である。図において、無線通信するためのアンテナ１０は、通話相手から電波を受信して、無線部１１へ入力する。無線部１１では入力した信号を増幅及び周波数変換してベースバンドＩＣ１２へ入力する。主制御部としてのベースバンドＩＣ１２は、携帯電話機全体の制御を司るものであり、記憶部としてのメモリ部１３に記憶されているプログラムにしたがって動作する。メモリ部１３はベースバンドＩＣ１２を動作させるプログラムの他に各種のデータを記憶している。
ベースバンドＩＣ１２は着信があった場合、音響部１４を介してスピーカ１５を鳴動し、着信をユーザに報知すると共に、ユーザが着信応答した場合、通話相手の端末と回線を接続して、マイク５及びレシーバ７を使った通話を可能にする。ユーザの音声はマイク５を通して携帯電話機に取り込まれ、音響部１４、ベースバンドＩＣ１２、無線部１１、アンテナ１０を介して送信される。
ＲＴＣ（ｒｅａｌ  ｔｉｍｅ  ｃｌｏｃｋ）１７は、正確な時間情報を出力する。電源制御部１８は電池１９の発生する電力を各部へ供給し、充電端子２０から入力する電力を電池１９へ給電して電池１９を充電するものである。赤外線通信手段２１は近距離データ通信を行い、カメラ２２は携帯電話機に内蔵されている。
【００１２】
ＬＥＤ表示パネル９は、制御マイコン２３、Ｘ方向制御ドライバ２４、Ｙ方向制御ドライバ２５及び１７行×９列にマトリクス配列されたＬＥＤ８からなる。制御マイコン２３、Ｘ方向制御ドライバ２４、Ｙ方向制御ドライバ２５はＬＥＤ８を表示制御する表示制御部として機能する。
表示は、図形、模様などのパターンを表示させることが可能であり、例えば、携帯電話機が着信したときに表示させるものである。ＬＥＤ表示パネル９に表示されているパターンは左右方向、上下方向に表示をスクロールさせたり、表示を点滅させたり、階調をつけて表示したりすることができる。したがって、高輝度の表示で、しかもインパクトのある表示ができることから、ユーザから離れた位置で携帯電話機が着信していてもユーザは着信に気付くことができる。
【００１３】
このような表示データはメモリ部１３に記憶しており、例えば着信などのイベントが発生し、ベースバンドＩＣ１２がこれを検知すると、メモリ部１３から表示パターンのデータを読み出して制御マイコン２３へ転送する。表示データを受け取った制御マイコン２３は、その表示データに基づいてＸ方向制御ドライバ２４及びＹ方向制御ドライバ２５を駆動し、マトリクス配列されたＬＥＤ８に図形、模様などのパターンを表示させる。
【００１４】
なお、表示データは、ユーザが操作キー２によりキー入力して作成し、メモリ部１３へ登録することも可能であるし、外部からデータ受信した表示データをメモリ部１３へ登録することもできる。
【００１５】
図３は、許容最大電流が１．６Ａの電池１９を使用した場合に携帯電話機を構成する各部へ供給する駆動電流の配分を示す図である。着信時は、通信処理を行うため待受時に比べて無線部に大きな電流が流れる上、着信音も鳴動する等、各部を同時に駆動する駆動電流の合計が最大になるため、着信時に各部へ供給する駆動電流の合計を電池１９の最大放電電流の範囲内に収めるように、各部の許容駆動電流を設定した回路設計がなされている。
【００１６】
したがって、ユーザが、着信時の視認性を向上させるために、ＬＥＤ表示パネル９に供給する駆動電流を増大させ、ＬＥＤ８の輝度をさらに向上させたいと思っても、ＬＥＤ表示パネル９の許容駆動電流を超えることはできず、輝度を上げることができない。
【００１７】
以降、ＬＥＤ表示パネル９に供給する駆動電流を増やすことなく輝度を上げる方法について説明する。
図４は、実施の形態１〜４に係るＬＥＤ表示パネル９に表示させるアニメーションを示す図であり、（ａ）（ｂ）（ｃ）（ｄ）の４画面を所定時間ずつ順次繰り返し表示させることでアニメーションを再生する一例を示している。
【００１８】
また、１画面分の表示データは３０フレームで構成されており、それぞれのフレーム毎に各々のＬＥＤ８を点灯制御する。したがって、ＬＥＤ８を３０フレーム全てにおいて点灯する場合から、３０フレーム全てにおいて消灯する場合までの３１段階で１画面当たりのＬＥＤ８の光量をそれぞれ変化させ、３１階調の輝度を表現できる。
【００１９】
ここで、従来のＬＥＤ表示パネル９を行単位に順次走査していくダイナミック駆動方式による点灯制御について説明する。ダイナミック駆動方式における点灯制御は、マトリクス配列されたＬＥＤ８を行単位で順次走査するので、ある瞬間でみると、画面を構成する全ＬＥＤ８が駆動されているわけではなく、ある行のＬＥＤ８のみが駆動されている。すなわち、同じ行のＬＥＤ８を複数同時に点灯することはあっても、他の行のＬＥＤ８を同時に点灯することはない。したがって、ある行に電流が流れている場合、他の行には電流は流れない。よって、図３より、ＬＥＤ表示パネル９の駆動電流最大値は２００ｍＡであるので、同時点灯の可能性のある１行９灯分のＬＥＤ８の駆動電流を２００ｍＡに抑えるために、１灯当たりの駆動電流を２０ｍＡとし、残りの２０ｍＡをＬＥＤ表示パネル９の制御に使用する。
【００２０】
図５は、従来のＬＥＤ表示パネル９において１０行目のＬＥＤ８を点灯する駆動電流を示すタイミングチャートであり、縦が駆動電流、横が経過時間を示している。図において、１行分の９灯全てを点灯させたときの駆動電流を示しており、３０フレーム全てにおいて点灯させている。
また、ＬＥＤ表示パネル９は１行当たり２ｍｓずつ点灯制御されており、１フレームは１７行、１画面は３０フレームなので、１画面は１，０２０ｍｓで点灯制御される。
したがって、ＬＥＤ８は３０フレーム全てにおいて点灯させているので、ＬＥＤ８は１画面を表示する１，０２０ｍｓの間に６０ｍｓ点灯することになる。
【００２１】
次に、実施の形態１におけるＬＥＤ表示パネル９のダイナミック駆動方式による点灯制御について図６のフローチャートを用いて説明する。
【００２２】
メモリ部１３にはＬＥＤ表示パネル９に表示させるための表示データが１画面につき３０フレーム分を格納しているものとする。また、１フレーム分の表示データは１７行×９列で構成されている。
【００２３】
まず、ＬＥＤ表示パネル９に図４のアニメーションを表示するとき、ベースバンドＩＣ１２は、メモリ部１３から１画面目かつ１フレーム目の表示データを読み出し、行単位でＬＥＤ８の点灯有無をチェックして、画像の表示開始行及び表示開始行から表示末尾行までの行数をそれぞれ走査開始行及び走査行数として一時記憶する。図４（ａ）の例では、画像が７行目から１１行目までの範囲で表示されるので、走査開始行が７行目、走査行数が５行である。
次に、１画面目かつ２フレーム目の表示データを読み出して同様のチェックを行い、さきに一時記憶した走査開始行及び走査行数と比較する。もし走査開始行又は走査行数が異なっていれば、双方の画像の表示範囲を含むように走査開始行及び走査行数を更新記憶する。このチェックを４画面の全フレームに対して繰り返す（ステップ６−１）。図４の例では、（ｂ）の第２画面が他の画面の画像表示範囲を全て含むものであるから、画像の走査開始行が４行目、走査行数が９行となる。
【００２４】
ベースバンドＩＣ１２は、一時記憶している走査開始行４及び走査行数９を制御マイコン２３に出力し（ステップ６−２）、ＲＴＣ１７内のタイマをリセットして経過時間の測定を開始する（ステップ６−３）。
【００２５】
ベースバンドＩＣ１２は、メモリ部１３から１画面目かつ１フレーム目の表示データを読み出し、一時記憶している走査開始行４行目から走査行数９行分の走査データを抜き出した表示データを新たに生成して、制御マイコン２３に出力する（ステップ６−４）。
【００２６】
制御マイコン２３は、ステップ６−４で入力された表示データの１行目の走査データをＬＥＤ表示パネル９の４行目、表示データの２行目の走査データをＬＥＤ表示パネル９の５行目として、順次、ＬＥＤ表示パネル９の１２行目までの走査行数９行分のみのＬＥＤ８を、１行当たり２ｍｓずつ走査する（ステップ６−５）。
【００２７】
ベースバンドＩＣ１２は、タイマのリセットから、１画面表示する時間の１，０２０ｍｓが経過したか否かを判断する（ステップ６−６）。
この判断で、１，０２０ｍｓ経過していなければ、同一画面の次フレームへ移行し（ステップ６−７）、ステップ６−４へ戻る。この場合、９行分のみ走査しているので１フレームの表示時間は１８ｍｓとなり、１，０２０ｍｓ画面表示するには１画面５７フレームが必要になる。したがって、１画面で用意されている３０フレームの表示データを繰り返し使用する。
【００２８】
ステップ６−６の判断で、１，０２０ｍｓ経過していれば、タイマをリセットして次画面の１フレーム目へ移行し（ステップ６−８）、ステップ６−４へ戻る。
【００２９】
ステップ６−４からステップ６−８の処理を、着信の発生や操作部１６からの入力によって表示内容の変更又は表示の終了が指示されるまで繰り返す。
【００３０】
図７は、実施の形態１のＬＥＤ表示パネル９において１０行目のＬＥＤ８を点灯する駆動電流を示すタイミングチャートであるが、９灯全て点灯するものである。
ＬＥＤ表示パネル９は、図５と同様に１行２ｍｓずつ行走査しているが、１フレームにつき９行のみ走査して次のフレームに移るため、同じ行を走査する間隔が、従来の１７行に１回に対して、９行に１回となるので、図５で１画面３０フレームを表示していた１，０２０ｍｓの間に、図７では平均１１３．３ｍｓ表示するようになる。
したがって、単位時間当たりの点灯合計時間が従来の６０ｍｓに対し１．８９倍になるので、輝度を１．８９倍に向上させることができる。
また、図７では最大輝度で点灯した場合を示しているが、全消灯を除く３０階調全てについて単位時間当たりの点灯合計時間が１．８９倍になるので、全ての階調において輝度が１．８９倍に向上する。
【００３１】
このように、ＬＥＤ表示パネル９の走査する行を画像表示エリアに合わせて少なくすることで、１灯当たりの走査間隔を短くすることができ、その結果、単位時間当たりの点灯時間合計が増えるので、ＬＥＤ表示パネル９を表示させる駆動電流は１８０ｍＡのままで、輝度を向上させることができる。
【００３２】
この実施の形態１では、ベースバンドＩＣ１２は同一フレームにおいて表示開始行から表示末尾行までを抜き出した表示データを１つ制御マイコン２３へ出力するようにしたが、ステップ６−２において行間をあけた複数の走査開始行及び走査行数のセットを制御マイコン２３へ出力し、ステップ６−４において同一フレームについて上記セットと同数の表示データを制御マイコン２３へ出力するようにしてもよい。この場合、ステップ６−５において制御マイコン２３は、各表示データ並びに各表示データに対応する走査開始行及び走査行数に基づいて、ＬＥＤ表示パネル９を走査するようにする。したがって、表示エリアが行間をあけた２箇所以上に分かれていても、走査する行を減らすことができるようになる。
【００３３】
また、この実施の形態１では、ステップ６−１で、メモリ部１３に記憶された全表示データから走査開始行及び走査行数を抽出するようにしたが、走査開始行又は走査行数のいずれか、あるいは両方を予め表示データとともにメモリ部１３に記憶しておいてもよい。この場合、ステップ６−１の処理は省略することができ、ステップ６−２で、ベースバンドＩＣ１２はメモリ部１３に記憶している走査開始行又は走査行数を制御マイコン２３へ出力すればよい。
【００３４】
また、この実施の形態１では、メモリ部１３に全部の行の走査データで構成された全表示データを記憶しておくようにしたが、画像が表示される行を含む一部の行の走査データで構成された部分表示データを予め記憶しておいてもよい。この場合、走査開始行は部分表示データからは抽出できないため部分表示データとともにメモリ部１３に記憶しておく必要があるが、走査行数はステップ６−１で部分表示データから抽出するようにしてもよく、メモリ部１３に記憶しておくようにしてもよい。また、この場合、ステップ６−１及びステップ６−４の処理は省略することができ、ステップ６−２では、ベースバンドＩＣ１２はメモリ部１３に記憶している走査開始行又は走査行数を制御マイコン２３へ出力するようにすればよく、ステップ６−４では、ベースバンドＩＣ１２はメモリ部１３に記憶している部分表示データを制御マイコン２３へ出力すればよい。
このように、部分表示データを予め記憶しておくと、ＬＥＤ表示パネル９へ表示する処理時間を短くすることができる。
【００３５】
さらに、この実施の形態１では、ステップ６−４で制御マイコン２３へ部分表示データを出力するようにしているが、メモリ部１３に記憶している全表示データを出力するようにしてもよい。この場合、ステップ６−５で、制御マイコン２３は、表示データの４行目をＬＥＤ表示パネル９の４行目、表示データの５行目をＬＥＤ表示パネル９の５行目として順次、ＬＥＤ表示パネル９の１２行目まで走査する。また、全表示データから走査開始行又は走査行数を抽出するようにしてもよく、全表示データとともにメモリ部１３に記憶しておいてもよい。走査開始行及び走査行数をメモリ部１３に記憶しておく場合は、ステップ６−１の処理は省略することができ、ステップ６−２で、ベースバンドＩＣ１２はメモリ部１３に記憶している走査開始行又は走査行数を制御マイコン２３へ出力すればよい。
【００３６】
実施の形態２．
実施の形態２におけるＬＥＤ表示パネル９のダイナミック駆動方式による点灯制御について図８のフローチャートを用いて説明する。実施の形態２では、制御マイコン２３が、表示データ及びＬＥＤ表示パネル９の走査する行を指定する走査情報を用いてＬＥＤ表示パネル９のＬＥＤ８を点灯制御する。
【００３７】
メモリ部１３には実施の形態１と同様、ＬＥＤ表示パネル９に表示させるため１画面につき３０フレーム分の表示データを格納しており、１フレーム分の表示データは１７行×９列で構成されている。
【００３８】
まず、ＬＥＤ表示パネル９に表示するとき、ベースバンドＩＣ１２は、メモリ部１３から１画面目かつ１フレーム目の表示データを読み出し、行単位の点灯有無をチェックして、各行に対する点灯有無を示す走査情報を一時記憶する。次に、１画面目かつ２フレーム目の表示データを読み出し、行単位の点灯有無をチェックして、さきに一時記憶した走査情報と比較する。もし一時記憶した走査情報が点灯無しにも関わらず点灯有りの行が存在すれば、その行を点灯有りとして走査情報を更新記憶する。この処理を４画面目かつ３０フレーム目まで繰り返す（ステップ８−１）。図４より、１画面目の３０フレームのチェックが終わった時点での走査情報は、１〜６行目が点灯無し、７〜１１行目が点灯有り、１２〜１７行目が点灯無しとなるが、全フレームのチェックが終わった時点の走査情報は、１〜３行目が点灯無し、４〜１２行目が点灯有り、１３〜１７行目が点灯無しとなる。
【００３９】
ベースバンドＩＣ１２は、一時記憶している走査情報を制御マイコン２３に出力し（ステップ８−２）、ＲＴＣ１７内のタイマをリセットして経過時間の測定を開始する（ステップ８−３）。
【００４０】
ベースバンドＩＣ１２は、メモリ部１３から１画面目かつ１フレーム目の表示データを読み出して、一時記憶している走査情報の点灯有りに対応する行データのみを抜き出した表示データを新たに生成して、制御マイコン２３に出力する（ステップ８−４）。
【００４１】
制御マイコン２３は、ステップ８−４で入力された表示データの各行を、走査情報の点灯有りと指定された４行目〜１２行目にそれぞれ対応させて、ＬＥＤ表示パネル９のＬＥＤ８のうち４〜１２行目のみを１行当たり２ｍｓずつ走査する（ステップ８−５）。
【００４２】
ベースバンドＩＣ１２は、タイマのリセットから１画面表示する時間であった１，０２０ｍｓが経過したか否かを判断する（ステップ８−６）。
この判断で、１，０２０ｍｓ経過していなければ、同一画面の次フレームへ移行し（ステップ８−７）、ステップ８−４へ戻る。
【００４３】
ステップ８−６の判断で、１，０２０ｍｓ経過していれば、タイマをリセットして次画面の１フレーム目へ移行し（ステップ８−８）、ステップ８−４へ戻る。
【００４４】
ステップ８−４からステップ８−８の処理を、着信の発生や操作部１６からの入力によって表示内容の変更又は表示の終了が指示されるまで繰り返す。
【００４５】
このように、走査情報によって点灯有りと指定された行のみを走査するので、点灯する行と点灯しない行が混在するとき、点灯する行と行の間に存在する点灯しない行を走査しないので、より輝度を上げることができる。
【００４６】
この実施の形態２では、ステップ８−１で、メモリ部１３に記憶された全表示データから点灯する行を抽出して走査情報を生成したが、走査情報を表示データとともに予めメモリ部１３に記憶しておいてもよい。この場合、ステップ８−１の処理は省略することができ、ステップ８−２では、ベースバンドＩＣ１２はメモリ部１３に記憶している走査情報を制御マイコン２３へ出力すればよい。
【００４７】
また、この実施の形態２では、メモリ部１３に全表示データを記憶しておくようにしたが、メモリ部１３に部分表示データを記憶しておくようにしてもよい。この場合、走査情報は部分表示データからは抽出できないため、走査情報を部分表示データとともに予めメモリ部１３に記憶しておく必要がある。この場合、ステップ８−１及びステップ８−４の処理は省略することができ、ステップ８−２で、ベースバンドＩＣ１２はメモリ部１３に記憶している走査情報を制御マイコン２３へ出力するようにすればよく、ステップ８−４で、ベースバンドＩＣ１２はメモリ部１３に記憶している部分表示データを制御マイコン２３へ出力すればよい。
【００４８】
さらに、この実施の形態２では、ステップ８−４で制御マイコン２３へ部分表示データを入力するようにしているが、メモリ部１３に記憶している全表示データを入力するようにしてもよい。この場合、ステップ８−５で、制御マイコン２３は、走査情報で点灯有りと指定された行に対応する行データに基づいてＬＥＤ表示パネル９の点灯有りと指定された行を走査すればよい。また、この場合、走査情報を全表示データから抽出するようにしてもよく、全表示データとともに予めメモリ部１３に記憶しておいてもよい。走査情報をメモリ部１３に記憶しておく場合は、ステップ８−１の処理は省略することができ、ステップ８−２で、ベースバンドＩＣ１２はメモリ部１３に記憶している走査情報を制御マイコン２３へ出力すればよい。
【００４９】
また、上記実施の形態１及び２では、表示エリアを４〜１２行目としたが、全エリアより少ないエリアであればどのようなエリアであっても効果が得られる。
【００５０】
上記実施の形態１及び２では、４画面のアニメーションとしたが、何画面で構成されていてもよく、また静止画でもよい。
【００５１】
実施の形態３．
実施の形態３では、ユーザが表示範囲と輝度の関係を設定する方法について説明する。
まず、ユーザがＬＥＤ表示パネル９に表示する画像を作成するとき、操作部１６を介してユーザに作成する画像の表示範囲を設定させる。表示範囲に輝度が反比例する。例えば、表示範囲を５行、１０行、１７行の３パターンとして比較すると、５行が高輝度、１０行が中輝度、１７行は通常輝度で点灯可能となる。
【００５２】
次に、設定された表示範囲内で画像を作成できるように、ユーザによる作成可能範囲を限定した画像作成画面を主表示部６に表示する。表示側筐体４が操作側筐体１に対して１８０度回転可能な構造であれば、ＬＥＤ表示パネル９を操作部１６と同一面側に向けて、画像作成画面をＬＥＤ表示パネル９に表示してもよい。
ユーザが操作部１６を操作して画像を作成すると、ベースバンドＩＣ１２は、作成した画像を表示データとしてメモリ部１３に記憶させる。
【００５３】
その後、作成した画像をＬＥＤ表示パネル９に表示させる処理は、実施の形態１又は２で説明したとおりである。
【００５４】
このように、作成可能範囲を限定してユーザが画像を作成するようにしたので、ＬＥＤ表示パネル９の表示範囲と輝度の関係をユーザが自由に決めることができる。
【００５５】
実施の形態４．
図３では待受時及び着信時の各部の許容駆動電流は各部を駆動する最大駆動電流を考慮して決められており、その許容駆動電流はどのような場合でも固定であった。しかし、例えば、ＬＥＤ表示パネル９へ供給する駆動電流を減らすことができれば、ＬＥＤ表示パネル９で減らした駆動電流を他の回路へ供給することができるようになる。
【００５６】
実施の形態４では、ＬＥＤ８の輝度を下げることなくＬＥＤ表示パネル９へ供給する駆動電流を減らす方法について説明する。
【００５７】
１灯のＬＥＤ８の輝度は、１回の点灯時間が同じ場合、１回の駆動電流と単位時間当たりの点灯回数の積、つまり、単位時間当たりの駆動電流の合計に比例する。よって、単位時間当たりの点灯回数を増やすと、１灯のＬＥＤ８が同じ輝度を確保しつつ駆動電流を減らすことができる。
【００５８】
例えば、発信中、着信中及び通話中にはＬＥＤ表示パネル９は９行分の表示エリアで表示させるものとする。
【００５９】
発信中、着信中又は通話中にＬＥＤ表示パネル９を表示させるとき、ベースバンドＩＣ１２は実施の形態１又は２と同様に、表示する表示データ等を制御マイコン２３へ出力するが、そのときにＬＥＤ表示パネル９の駆動電流を１灯当たり１０．５９ｍＡで点灯駆動するように制御マイコン２３に指示する。
【００６０】
制御マイコン２３は、ＬＥＤ８を１灯点灯する駆動電流を１０．５９ｍＡに切り替えて実施の形態１及び２と同様の走査処理を実行する。
【００６１】
このように制御することによって、輝度を下げることなく駆動電流を減らすことができる。
【００６２】
図９に、実施の形態４のＬＥＤ表示パネル９において１０行目のＬＥＤ８を点灯する駆動電流を示すタイミングチャートである。
ＬＥＤ表示パネル９は、１灯当たり１０．５９ｍＡで駆動するようにしたので、１行９個のＬＥＤ８を２ｍｓ点灯制御するために９５．３１ｍＡの駆動電流を流している。また、同じ行を走査する間隔が図５の１７行に１回から９行に１回になるので、図５で１画面３０フレームを表示していた１，０２０ｍｓの間に、平均５６．６７フレーム点灯することになる。よって、図５では、単位時間当たりの駆動電流合計は、１８０ｍＡ×３０フレームより５４００ｍＡであったのに対し、この実施の形態４では、９５．３１ｍＡ×５６．６７回より５４００ｍＡとなる。
したがって、単位時間当たりの駆動電流の合計が同じなので同じ輝度を確保できており、駆動電流は１８０ｍＡから９５．３ｍＡに下げることができる。つまり、下げることができた８４．７ｍＡを他の回路へ供給することができる。
【００６３】
また、例えば、着信中や通話中のように、各回路を同時に駆動させたときの駆動電流合計が大きいときに、ＬＥＤ表示パネル９の表示エリアを限定して駆動電流を減らすようにし、待受中のＬＥＤ表示パネル９の表示エリアを限定せずに駆動電流も減らさないようにすれば、ユーザがＬＥＤ表示パネル９を有効に利用しつつ、容量の小さい電池１９を使用することができる。
【産業上の利用可能性】
【００６４】
本発明に係る電子機器は、携帯電話機などの携帯無線端末、携帯情報端末等の分野で利用することができる。また、新幹線や銀行等に設置される電光掲示板の分野でも利用することができる。
【図面の簡単な説明】
【００６５】
【図１】この発明に係る電子機器としての携帯電話機の外観図である。
【図２】実施の形態１〜４に係る携帯電話機のブロック構成図である。
【図３】許容最大電流が１．６Ａの電池１９を使用した場合に携帯電話機を構成する各部へ供給する駆動電流の配分を示す図である。
【図４】実施の形態１〜４に係るＬＥＤ表示パネル９に表示させるアニメーションを示す図である。
【図５】従来のＬＥＤ表示パネル９において１０行目のＬＥＤ８を点灯する駆動電流を示すタイミングチャートである。
【図６】実施の形態１におけるＬＥＤ表示パネル９のダイナミック駆動方式による点灯制御を説明するフローチャートである。
【図７】実施の形態１のＬＥＤ表示パネル９において１０行目のＬＥＤ８を点灯する駆動電流を示すタイミングチャートである。
【図８】実施の形態２におけるＬＥＤ表示パネル９のダイナミック駆動方式による点灯制御を説明するフローチャートである。
【図９】実施の形態４のＬＥＤ表示パネル９において１０行目のＬＥＤ８を点灯する駆動電流を示すタイミングチャートである。
【符号の説明】
【００６６】
８  ＬＥＤ
９  ＬＥＤ表示パネル
１２  ベースバンドＩＣ
１３  メモリ部
２３  制御マイコン
【図１】
2006119212.tif 000003
【図２】
2006119212.tif 000004
【図３】
2006119212.tif 000005
【図４】
2006119212.tif 000006
【図５】
2006119212.tif 000007
【図６】
2006119212.tif 000008
【図７】
2006119212.tif 000009
【図８】
2006119212.tif 000010
【図９】
2006119212.tif 000011